(57)【要約】      （修正有）【課題】小型の殼体内部に空気イオン化集塵器を設置して成り、室内のテーブル上や壁面、車両内部に設置して空気の浄化と殺菌等を行うことができる、小型空気イオン化装置の提供。【解決手段】左殼体と右殼体を組み立てて成る容器を含み、前記容器は空気入口及び空気出口を備え、さらに内部に空間を有し、モータにより駆動されるファンが前記容器内部に設置され、前記空間内に空気イオン化集塵器が設置され、前記空気イオン化集塵器は大集塵片及び小片体をそれぞれ複数の金属棒に通して成り、前記左絶縁板と右絶縁板を前記大集塵片及び小片体の両側に固定し、前記複数の金属棒の接続端をそれぞれ前記左絶縁板と右絶縁板の内側壁面に接続し、前記左絶縁板と右絶縁板の片側に２本の導電棒を設置し、前記２本の導電棒上に少なくとも１本以上の電極線の前後接続端をそれぞれ接続することを特徴とする。【選択図】図３
0003120039.tif 000002
【実用新案登録請求の範囲】
【請求項１】
左殼体と右殼体を組み立てて成る容器を含み、前記容器は空気入口及び空気出口を備え、さらに内部に空間を有し、モータにより駆動されるファンが前記容器内部に設置され、前記空間内に空気イオン化集塵器が設置され、前記空気イオン化集塵器は大集塵片及び小片体をそれぞれ複数の金属棒に通して成り、前記左絶縁板と右絶縁板を前記大集塵片及び小片体の両側に固定し、前記複数の金属棒の接続端をそれぞれ前記左絶縁板と右絶縁板の内側壁面に接続し、前記左絶縁板と右絶縁板の片側に２本の導電棒を設置し、前記２本の導電棒上に少なくとも１本以上の電極線の前後接続端をそれぞれ接続する、小型空気イオン化装置。
【請求項２】
前記ファンが固定片を備え、前記固定片上に穿通孔を設け、前記右殼体内側壁面に固定孔を設け、前記固定片をネジにより前記固定孔上に固定する、請求項１に記載の小型空気イオン化装置。
【請求項３】
負電源が接続された金属棒に複数の筒体を通して設置し、複数の前記金属棒を前記大集塵片の複数の接続孔内にそれぞれ通して接続し、各相隣する筒体が各大集塵片の両側表面をそれぞれ挟み込み、前記金属棒の外側両端を前記左絶縁板と右絶縁板上にそれぞれ固定すると共に、正電源が接続された金属棒に複数の筒体を通して設置し、複数の前記金属棒をそれぞれ前記小片体の接続孔内に通して接続し、各相隣する筒体が各小片体の両側表面をそれぞれ挟み込み、前記金属棒の外側両端を前記左絶縁板と右絶縁板上にそれぞれ固定する、請求項１に記載の小型空気イオン化装置。
【請求項４】
前記電極線が相隣する二枚の大集塵片間に形成される空間に位置し、前記空間をイオン化エリアとする、請求項１に記載の小型空気イオン化装置。
【請求項５】
前記容器の側面に端子挿入孔を設け、前記端子挿入孔に電源プラグを挿入する、請求項１に記載の小型空気イオン化装置。
【請求項６】
前記容器の外壁面に嵌合部を設け、L字形スタンド片の上端を前記嵌合部の挿入槽内に差込み、前記容器をL字形スタンド片上に位置決めする、請求項１に記載の小型空気イオン化装置。
【請求項７】
前記容器の外側壁面を室内等の壁面に予め設けた凹み槽内に固定し、前記容器の下方に空気が進入する入口を設け、前記容器の上方にきれいな空気を排出する出口を設けた、請求項１に記載の小型空気イオン化装置。
【請求項８】
前記容器を車両の内部に設置し、車用の電源線の端子プラグを前記容器の電源挿入孔に差し込み、前記電源線の電源プラグを車両内部の電源挿入孔に挿入する、請求項１に記載の小型空気イオン化装置。
【請求項９】
前記空間の内側壁面に複数の線槽を設け、前記複数の線槽の末端に位置決め円槽を形成し、複数の電線を前記線槽内にそれぞれ嵌め込み、前記複数の電線の末端に導電のための接続端を設け、前記接続端を前記位置決め円槽内に嵌め込むと共に、前記金属棒の導電端を前記位置決め円槽内に挿入し、且つ、前記接続端の一つと接続し、前記導電棒の導電端を別の前記位置決め円槽内に挿入し、且つ、別の前記接続端と接続し、さらに前記金属棒の導電端を別の前記位置決め円槽内に挿入し、且つ、別の前記接続端と接続した、請求項１に記載の小型空気イオン化装置。
【請求項１０】
前記空間が梯形の凹み槽であり、その底部の槽幅が上部の槽幅よりやや大きく、前記左絶縁板と右絶縁板が梯形を呈し、前記左絶縁板と右絶縁板を前記空間内に嵌置した、請求項１に記載の小型空気イオン化装置。
【請求項１１】
前記左絶縁板と右絶縁板の内側板面上に突出状の突出部を設けた、請求項１に記載の小型空気イオン化装置。
【請求項１２】
前記容器の側面に押圧スイッチを設けた、請求項１に記載の小型空気イオン化装置。
【考案の詳細な説明】
【技術分野】
【０００１】
本考案は小型空気イオン化装置に関し、詳細には、機動的にテーブル上や壁面、車両内部などに設置し、空気を浄化することができる、小型空気イオン化装置に関する。
【背景技術】
【０００２】
従来の空気イオン化装置は、本考案の考案者が先に考案した中華民国公告第４８２０２８号の静電集塵器の放電装置及び中華民国公告第４９７４７３号の静電集塵板の骨組み改良構造等の２つの特許案があるが、この両者は、集塵装置と空気イオン化装置がそれぞれ独立しており、場所をとってしまう。
【０００３】
中華民国公告第５５６５９８号の空気浄化装置は、長い箱型状の空気濾過装置であり、その内部にフィルタ材（HePa）、活性化炭素材、フィルタネット等の従来の空気フィルタ材を設置しているだけである。このような従来のフィルタ材は殺菌やウイルスを殺す作用はないため、医療用の空気浄化設備に実施することはできない。さらに、この特許案の実施例には限りがあり、各種インターフェースに効果的に実施することができない。
【考案の開示】
【考案が解決しようとする課題】
【０００４】
本考案の主な目的は、小型の殼体内部に空気イオン化集塵器を設置し、この小型化された装置を室内のテーブル上や壁面、車両内部に設置して空気の浄化と殺菌及びウイルス除去を行うことができる、小型空気イオン化装置を提供することにある。
【課題を解決するための手段】
【０００５】
本考案の小型空気イオン化装置は、左殼体と右殼体を組み立てて成る容器を含み、前記容器は空気入口及び空気出口を備え、さらに内部に空間を有し、モータにより駆動されるファンが前記容器内部に設置され、前記空間内に空気イオン化集塵器が設置され、前記空気イオン化集塵器は大集塵片及び小片体をそれぞれ複数の金属棒に通して成り、前記左絶縁板と右絶縁板を前記大集塵片及び小片体の両側に固定し、前記複数の金属棒の接続端をそれぞれ前記左絶縁板と右絶縁板の内側壁面に接続し、前記左絶縁板と右絶縁板の片側に２本の導電棒を設置し、前記２本の導電棒上に少なくとも１本以上の電極線の前後接続端をそれぞれ接続することを特徴とする。
【考案を実施するための最良の形態】
【０００６】
図１、図２、図３に示すように、本考案の小型空気イオン化装置は、左殼体１０と右殼体２０を組み立てて成る容器１００を含み、この容器１００は空気入口１５及び空気出口１８を備え、内部に空間１６を有し、モータ３０により駆動されるファン３５がこの容器１００内部に設置され、前記空間１６内に設置される空気イオン化集塵器５０は、大集塵片５２及び小片体５４をそれぞれ複数の金属棒７０、９０に通して成り、さらに左絶縁板６０と右絶縁板６０’を前記大集塵片５２及び小片体５４の両側に固定し、複数の金属棒７０、９０の接続端をそれぞれ左絶縁板６０と右絶縁板６０’の内側壁面に接続し、この左絶縁板６０と右絶縁板６０’の片側に２本の導電棒６５、６６を設置し、この２本の導電棒６５、６６上に少なくとも１本以上の電極線４０の前後接続端をそれぞれ接続する。
【０００７】
前述の主な特徴に基づき、そのうち前記ファン３５は固定片３５１を備え、この固定片３５１上に穿通孔３５２を設け、前記右殼体２０内側壁面に固定孔２１を形成し、前記固定片３５１をネジ３５３で前記固定孔２１上に固定する（図４参照）。
【０００８】
前述の主な特徴に基づき、負電源が接続された金属棒７０に複数の筒体７２を通して設置し、複数の金属棒７０をそれぞれ前記大集塵片５２の複数の接続孔５２１内に通し、各相隣する筒体７２が各大集塵片５２の両側表面をそれぞれ挟み込み、金属棒７０の外側両端を前記左絶縁板６０と右絶縁板６０’上にそれぞれ固定する。
【０００９】
さらに、正電源が接続された金属棒９０に複数の筒体９２を通して設置し、複数の金属棒９０をそれぞれ前記小片体５４の接続孔５４１内に通し、各相隣する筒体９２が各小片体５４の両側表面をそれぞれ挟み込み、金属棒９０の外側両端を前記左絶縁板６０と右絶縁板６０’上にそれぞれ固定する。
【００１０】
前述の主な特徴に基づき、そのうち各電極線４０が相隣する二枚の大集塵片５２の間に形成される空間に位置し、この空間がイオン化エリア８０となる（図５、図６参照）。
【００１１】
前述の主な特徴に基づき、そのうち容器１００の側面に端子挿入孔８５を設け、電源プラグ８６を挿入して接続することができる（図１参照）。
【００１２】
前述の主な特徴に基づき、そのうち容器１００の外側表面に嵌合部１２０を設け、L字形スタンド片２００の上端２１０を前記嵌合部１２０の挿入槽内に差込、容器１００をL字形スタンド片２００上に位置決めすることができる（図８参照）。
【００１３】
前述の主な特徴に基づき、そのうち容器１００の外側表面を壁面３００に予め設けた凹み槽３２０内に嵌め込み、容器１００の下方に空気が進入する入口３３０を設け、容器１００上方にきれいな空気を排出する出口３４０を設ける（図７参照）。
【００１４】
前述の主な特徴に基づき、そのうち容器１００は車両４００の内部に設置することができ、車用の電源コードＳの端子プラグＳ１を容器１００の電源挿入孔８５内に挿入し、電源コードＳの電源プラグＳ２を車両内部の電源挿入孔４１０内に挿入する（図９参照）。
【００１５】
前述の主な特徴に基づき、そのうち空間１６の内側壁面に複数の線槽１９を設け、複数の線槽１９の末端部に位置決め円槽１９１、１９２、１９３を設け、さらに、複数の電線９５を線槽１９内にそれぞれはめ込み、これら複数の電線９５の末端に導電のための接続端９５１、９５２、９５３を設け、これら接続端９５１、９５２、９５３を前記位置決め円槽１９１、１９２、１９３内にはめ込む。さらに、前記金属棒９０の導電端を前記位置決め円槽１９１内に挿入し、且つ、前記接続端９５１と接続する。導電棒６５の導電端を別の位置決め円槽１９３内に挿入し、且つ、別の接続端９５２と接続する。前記金属棒７０の導電端をさらに別の位置決め円槽１９２内に挿入し、且つ、別の接続端９５３と接続する（図２参照）。
【００１６】
前述の主な特徴に基づき、そのうち空間１６は梯形の凹み槽であり、その底部の槽幅Ｌ１が上部の槽幅Ｌ２よりやや大きく、前記左絶縁板６０と右絶縁板６０’は梯形を呈し、左絶縁板６０と右絶縁板６０’が空間１６内に対応して嵌入される（図４参照）。
【００１７】
前述の主な特徴に基づき、そのうち左絶縁板６０と右絶縁板６０’の内側板面上に突出状の突出部６１を設ける（図３参照）。
【００１８】
前述の主な特徴に基づき、そのうち容器１００の側面に押圧スイッチ８７を設ける。
【００１９】
使用時には、本考案が使用する電源は１２Ｖであり、「電源（圧）変換器」を用いて室内で使用したり、車用の電源線Ｓを用い車両４００内で使用したりすることができる。
【００２０】
図１、図２、図５に示すように、押圧スイッチ８７を押してオンの位置にすると、電源が電力をモータ３０に供給し、モータ３０がファン３５を駆動して回転させ、電源の電力が電線９５、金属棒７０、９０を通って空気イオン化集塵器５０に供給される。そのうち、負電源が金属棒７０及び大集塵片５２に導通され、金属材質の大集塵片５２の表面が負電荷を帯び、矩形の金属材質の小片体５４と金属棒９０が接続され、且つ、正電源が導通されて小片体５４の表面が正電荷を帯び、金属棒７０、９０の二端が絶縁方式で左絶縁板６０と右絶縁板６０’上に固定・接続される。
電源が電線９５及び上導電棒６５を通って電力を電極線４０に提供し、電極線４０が高圧電極線を形成すると共に、イオン化エリア８０で均一な電界を形成する（図５、図６参照）。粉塵、煙の粒子、細菌、ウイルスなどをの微粒子が構成する空気中の塵埃４５は、その粒子が正電荷または負電荷、或いは同時に正電荷と負電荷を帯びており、空気入口１５から吸入され、イオン化エリア８０を通過するとき、電極線４０が形成する電界で電極によりイオン化され、さらに空気中の塵埃４５がイオン化されて、正電荷を帯びた空気中の塵埃４２が形成される。正電荷を帯びた空気中の塵埃４２は大集塵片５２の表面上に形成される負電荷に吸着され、正電荷を帯びた空気中の塵埃４２が大集塵片５２の表面上に吸着される。このとき、小片体５４の表面は正電荷を帯びているため、この間を通過する正電荷を帯びた空気中の塵埃４２と相互に排斥し合い推力を形成し、正電荷を帯びた空気中の塵埃４２を大集塵片５２の表面へと押すため、正電荷を帯びた空気中の塵埃４２がしっかりと大集塵片５２の表面上に吸着され、空気出口１８から排出される空気は浄化され、消毒されたきれいな空気４４となり、このきれいな空気４４に含まれる細菌やウイルスもイオン化分解されて真の空気の浄化効果を得ることができる。
【００２１】
図８に示すように、容器１００の嵌合部１２０にL字形スタンド片２００の上端を挿入し、このL字形スタンド片２００をテーブル面Ｗ上に置くと、例えばテーブル面Ｗ上に灰皿５００がある場合、たばこ５２０の燃焼により形成される空気中の塵埃４５が空気入口１５から吸引され、空気イオン化集塵器５０の浄化・消毒処理を経て、きれいな空気４４が空気出口１８から排出され、テーブル面Ｗ上付近の空間の空気がきれいになる。
【００２２】
図７に示すように、壁面３００に設置することもでき、この壁面３００は屏風やその他材質の壁面とすることができ、容器１００の背面を壁面３００に予め設けた凹み槽３２０内に固定し、これにより空気中の塵埃４５が入口３３０から吸入され、容器１００の空気入口１５から進入し、空気出口１８及び出口３４０から排出され、容器１００内部の空気イオン化集塵器５０の浄化を経た空気中の塵埃４５が浄化されてきれいな空気４４となり空気出口１８及び出口３４０から排出されるため、これにより壁面３００付近の空間の空気中の塵埃４５が消毒・浄化される。
【００２３】
図９に示すように、本考案の容器１００は面ファスナー等（図には示さない）で車両４００内部の適切な位置に設置してもよく、電源挿入孔４１０に１２Ｖ電力を接続し、電源線Ｓが容器１００内部に電気を供給することにより、本考案は車内空間の空気中の塵埃を効果的に浄化することができる。
【００２４】
本考案の容器１００全体の長さは２５０mm以内、幅は２００mm以内、厚さは５４mm以内に制御することで、体積が小さく、重量が軽く、使用上の利便性が高い空気イオン化装置とすることができ、例えば携帯や位置変え等も機動的に行うことが可能である。その特徴による効果はすでに達成されているため、法に基づきここに出願を提出するものである。
【図面の簡単な説明】
【００２５】
【図１】本考案の立体図である。
【図２】本考案の立体分解図である。
【図３】本考案の空気イオン化集塵器の立体分解図である。
【図４】本考案の縦方向の断面図である。
【図５】本考案の別の断面図である。
【図６】本考案の空気イオン化集塵器の断面図である。
【図７】本考案を壁面に設置した状態を示す立体図である。
【図８】本考案をテーブル面に設置した状態を示す側面図である。
【図９】本考案を車両内部に設置した状態を示す立体図である。
【符号の説明】
【００２６】
１００      容器
１２０      嵌合部
２００      L字形スタンド片
２１０      上端
３００      壁面
３２０      凹み槽
３３０      入口
３４０      出口
４００      車両
５００      灰皿
５２０      たばこ
１０        左殼体
１５        空気入口
１６        空間
１８        空気出口
１９        線槽
１９１、１９２、１９３    位置決め円槽
２０        右殼体
２１        固定孔
３０        モータ
３５        ファン
３５１      固定片
３５２      穿通孔
３５３      ネジ
４０        電極線
４２        正電荷を帯びた空気中の塵埃
４４        きれいな空気
４５        空気中の塵埃
５０        空気イオン化集塵器
５２        大集塵片
５２１、５４１    接続孔
５４        小片体
６０        左絶縁板
６０’      右絶縁板
６１        突出部
６５、６６    導電棒
７０、９０    金属棒
７２、９２    筒体
８０        イオン化エリア
８５、４１０    挿入孔
８６、Ｓ１、Ｓ２    プラグ
８７        押圧スイッチ
９５        電線
９５１、９５２、９５３    接続端
Ｓ          電源線
Ｗ          テーブル面
Ｌ１、Ｌ２    幅
【図１】
0003120039.tif 000003
【図２】
0003120039.tif 000004
【図３】
0003120039.tif 000005
【図４】
0003120039.tif 000006
【図５】
0003120039.tif 000007
【図６】
0003120039.tif 000008
【図７】
0003120039.tif 000009
【図８】
0003120039.tif 000010
【図９】
0003120039.tif 000011